(57)【要約】【課題】既存の安全帯に改造等を加えることなく安全帯の使用状態を発報することができ且つ廉価な発報装置を提供する。【解決手段】安全帯用発報装置１００は、フック２００の鉤状部材２１０の一部をその内面が露出した状態で外側縁部から覆うように形成された着脱自在のケース１１０と、ケース１１０に設けられた、フック２００が被掛止物１０に掛けられたことを検知する検知手段であるレバー１２０及びスイッチ１４０と、報知動作を行う報知手段であるスピーカ１４０及びＬＥＤ１５０と、前記検知手段の検知信号に基づき被掛止物１０に掛けられたことを報知するよう前記報知手段を制御する制御回路１６０と、を備えた。【選択図】図４
2020043964.tif 000002
【特許請求の範囲】
【請求項１】
鉤状部材を有するフックを含む安全帯に取り付けて使用される安全帯用発報装置であって、
前記鉤状部材の一部をその内側縁部が露出した状態で外側縁部から覆うように形成された着脱自在のケースと、
前記ケースに設けられた、
前記フックが第１被掛止物に掛けられたことを検知する検知手段と、
報知動作を行う報知手段と、
前記検知手段の検知信号に基づき第１被掛止物に掛けられたことを報知するよう前記報知手段を制御する報知制御手段と、を備えた
ことを特徴とする安全帯用発報装置。
【請求項２】
前記ケースは、前記鉤状部材をその厚み方向に挟んだ状態で両側から押圧する押圧部材により、前記鉤状部材に固定可能となっている
ことを特徴とする請求項１記載の安全帯用発報装置。
【請求項３】
前記ケースには、安全帯の人体ベルト又は作業服のベルトなどの第２被掛止物に引っ掛けるための引っ掛け片が形成されている
ことを特徴とする請求項１又は２記載の安全帯用発報装置。
【請求項４】
前記検知手段は、前記フックが第１被掛止物に掛けられた際に該第１被掛止物に当接して回動するレバーと、前記レバーの回動を検知するセンサとを備える
ことを特徴とする請求項１乃至３何れか１項記載の安全帯用発報装置。
【請求項５】
前記報知手段は音響装置を含み、
前記報知制御手段は音声を前記音響装置から出力する
ことを特徴とする請求項１乃至４何れか１項記載の安全帯用発報装置。
【請求項６】
前記報知手段は前記ケースの外面に露出するよう設けられた発光素子を含む
ことを特徴とする請求項１乃至５何れか１項記載の安全帯用発報装置。
【請求項７】
前記ケースの外面には凹部が形成されており、前記発光素子はその頭部がケース外面から露出した状態で前記凹部の底面に配置されている
ことを特徴とする請求項６記載の安全帯用発報装置。
【発明の詳細な説明】
【技術分野】
【０００１】
本発明は、高所作業の作業員が装着する安全帯に関し、その使用状態を発報する発報装置に関する。
【背景技術】
【０００２】
工事現場等の高所での作業の際には、作業者には、墜落防止のための安全帯の着用が義務づけられている。安全帯は、作業者の体に装着される人体ベルトと、人体ベルトに一端が連結したロープと、ロープの他端に設けられたフックとを備える。なお、人体ベルトは、作業者の肩・腰部・腿等複数箇所において支持する構造のフルハーネス型と、作業者の腰部に着用する帯状の胴ベルト型とに大別される。また、人体ベルトとロープとの連結部に、さらに墜落制止時の衝撃を吸収するショックアブソーバを備えるものや、ロック機構付きのロープ巻き取り器を備えるものも知られている。作業者は、高所作業に先立ち、親綱や足場の手すりや建築物などの取り付け設備にフックを引っ掛け、その後に高所作業を行う。安全帯は、墜落制止用器具とも呼ばれる。
【０００３】
墜落事故を防止するためには、作業員が安全帯を正しく且つ確実に使用することが必須である。そこで、作業者に対して安全帯の装着を促すとともに使用状況を管理するためのシステムが提案されている（特許文献１参照）。特許文献１に記載のものでは、感圧センサや開閉センサなどのセンサ類及びセンサ信号を無線で送信する送信回路をフックに設けるとともに、人体ベルトにコントロールボックスを設けている。コントロールボックスは、センサ信号受信部と、スピーカと、ＬＥＤと、制御装置とを備えている。コントロールボックスの制御装置は、フックから受信したセンサ信号に基づき、スピーカやＬＥＤを用いた各種報知制御を行うとともに、無線通信によりパーソナルコンピュータに安全帯の使用状態を送信する。パーソナルコンピュータは、安全帯から受信した使用状態を管理するとともに、必要に応じて報知制御を行う。
【先行技術文献】
【特許文献】
【０００４】
【特許文献１】特許第５１１６８１５号公報
【発明の概要】
【発明が解決しようとする課題】
【０００５】
しかし、特許文献１に記載の安全帯は、センサ類を取り付けた専用フックを用いているため、換言すれば既存の安全帯を用いることができないため、コストが高いという問題がある。また、特許文献１に記載の安全帯は、フックとコントロールボックスの双方にバッテリが必要となるため、煩雑なバッテリ管理や交換作業が必要になるという問題がある。また、使用時においてもフックとコントロールボックスの双方で電源を入れる操作を行う必要があるため、利便性に欠けるという問題がある。さらに、フックからコントロールボックスへのセンサ信号の伝達を無線通信で行っているので、作業環境によっては通信障害により適切な動作が阻害されるおそれがあるとともに、消費電力やコストが高くなるという問題がある。
【０００６】
本発明は上記事情に鑑みてなされたものであり、その目的とするところは、既存の安全帯に改造等を加えることなく安全帯の使用状態を発報することができ且つ廉価な発報装置を提供することにある。
【課題を解決するための手段】
【０００７】
上記目的を達成するために、本願発明は、鉤状部材を有するフックを含む安全帯に取り付けて使用される安全帯用発報装置であって、前記鉤状部材の一部をその内面が露出した状態で外側縁部から覆うように形成された着脱自在のケースと、前記ケースに設けられた、前記フックが第１被掛止物に掛けられたことを検知する検知手段と、報知動作を行う報知手段と、前記検知手段の検知信号に基づき第１被掛止物に掛けられたことを報知するよう前記報知手段を制御する報知制御手段と、を備えたことを特徴とする。
【発明の効果】
【０００８】
本発明によれば、安全帯用発報装置のケースが、安全帯のフックの鉤状部材の一部をその内面が露出した状態で外側縁部から覆うように形成されているので、専用のフックを用意することなく、既存のフックに取り付けるだけで使用することができる。また、検知手段と報知手段と報知制御手段とが１つのケースに設けられており、他の装置等を必要としない簡便な構成なので、製造コストを抑えることができるとともに、使用時の利便性も高いものとなる。
【図面の簡単な説明】
【０００９】
【図１】安全帯用発報装置の正面図
【図２】安全帯用発報装置の上面図
【図３】安全帯用発報装置の左側面図
【図４】安全帯用発報装置をフックに装着した様子を示す正面図
【図５】安全帯用発報装置をフックに装着した状態で図２のＡ線の位置で切断した断面図
【図６】図４のＢ線で切断した断面図
【図７】安全帯用発報装置の装着先であるフックの正面図
【図８】安全帯用発報装置の回路図
【発明を実施するための形態】
【００１０】
本発明の一実施の形態に係る安全帯用発報装置について図面を参照して説明する。図１は安全帯用発報装置の正面図、図２は安全帯用発報装置の上面図、図３は安全帯用発報装置の左側面図、図４は安全帯用発報装置をフックに装着した様子を示す正面図、図５は安全帯用発報装置をフックに装着した状態で図２のＡ線の位置で切断した断面図、図６は図４のＢ線で切断した断面図、図７は安全帯用発報装置の装着先であるフックの正面図である。
【００１１】
まず、図７を参照して、安全帯用発報装置の装着先であるフックの構成について説明する。フック２００は、図７に示すように、鉤状部材２１０と、鉤状部材２１０の開口に対して開閉動作をする外れ止め部材２２０と、外れ止め部材２２０の開閉動作を制限するロック部材２３０とを備えている。
【００１２】
鉤状部材２１０は、親綱や足場の手すりなど被掛止物を開口の内側に引っ掛けるよう板状部材を湾曲させた形状を有している。鉤状部材２１０の一端側は、安全帯のロープ（図示省略）と連結するための連結孔２１１が形成されている。
【００１３】
外れ止め部材２２０は、その一端側をリベット２２１により、鉤状部材２１０の開口の内側において回動自在に付設されている。外れ止め部材２２０の他端側は、鉤状部材２１０の先端部の内側に係止するよう形成されている。外れ止め部材２２０は、バネ２２２により鉤状部材２１０の開口を閉鎖する方向に付勢されている。
【００１４】
ロック部材２３０は、その一端側をリベット２３１により、鉤状部材２１０の外側において回動自在に付設されている。ロック部材２３０は、バネ２３２により鉤状部材２１０の外側に向けて付勢されている。ロック部材２３０には、スライド溝２３３が形成されている。このスライド溝２３３には、前記外れ止め部材２２０の一部と重なっており、外れ止め部材２２０に設けられたリベット２２３が挿通している。スライド溝２３３は、外れ止め部材２２０が鉤状部材２１０の開口を閉鎖した状態にあるとき、ロック部材２３０の回動にしたがって外れ止め部材２２０のリベット２２３がスライド溝２３３内を移動するよう形成されている。さらに、スライド溝２３３は、ロック部材２３０を鉤状部材２１０方向に回動させた状態にあるとき、外れ止め部材２２０の回動にしたがってリベット２２３がスライド溝２３３内を移動するよう形成されている。
【００１５】
次に、本実施の形態に係る安全帯用発報装置の構成について説明する。図１〜図６に示すように、安全帯用発報装置１００は、ケース１１０と、フック２００が被掛止物１０に掛けられたことを検知する検知手段を構成するレバー１２０及びスイッチ１３０と、報知動作を行う報知手段であるスピーカ１４０及び複数のＬＥＤ１５０と、前記検知手段の検知信号に基づき被掛止物１０に掛けられたことを報知するよう前記報知手段を制御する報知制御手段である制御回路１６０と、を備えている。
【００１６】
ケース１１０は、フック２００の鉤状部材２１０の一部、具体的には湾曲部を、その内面が露出した状態で外側縁部から覆うように、断面略Ｕ字状に形成されている。フック２００を被掛止物１０に掛けた際に当該被掛止物１０がケース１１０に衝突しない又は衝突による衝撃が小さくなるように、鉤状部材２１０の湾曲部を覆う箇所のケース１１０内縁は、鉤状部材２１０の湾曲部の内縁と一致またはやや外側に位置している。換言すれば、ケース１１０の内縁の稜線は、フック２００の鉤状部材２１０の一部、具体的には湾曲部の内側縁部の稜線と一致する又はやや内側に位置した状態となっている。ケース１１０は、鉤状部材２１０をその厚み方向に挟んだ状態で両側から押圧する押圧部材（本実施の形態では複数のネジ１１１）により、前記鉤状部材２１０に着脱自在に固定可能となっている。
【００１７】
ケース１１０には、鉤状部材２１０の連結孔２１１側の端部に、スピーカ１４０・スイッチ１３０・制御回路１６０を収納する箱部１１２が形成されている。さらに、箱部１１２には、安全帯の人体ベルト又は作業服のベルトなど、墜落防止のために用いるものとは異なる被掛止物に引っ掛けるための引っ掛け片１１３が外側に向けて形成されている。
【００１８】
ケース１１０の湾曲部の内側であって左右一方の底面には、レバー１２０を収容するための溝１１４が形成されている。レバー１２０は、前記溝１１４内においてリベット１１５によって回動自在に設けられている。レバー１２０は、レバー１２０の端部に設けられたバネ１１６により鉤状部材２１０の湾曲部の内側方向に付勢されている。レバー１２０の可動域は、レバー１２０の端部と当接する係止片１１７ａ，１１７ｂにより規制されている。ここで、レバー１２０は、通常時は、フック２００が被掛止物１０に掛けられた際に当該被掛止物１０に当接して回動するよう、フック２００の鉤状部材２１０の湾曲部の内側縁部の稜線よりもやや内側に位置している。
【００１９】
スイッチ１３０は、レバー１２０が被掛止物１０と当接して回動したことを検知するセンサである。スイッチ１３０は、レバー１２０が回動した際に、レバー１２０の端部がスイッチ１３０のアクチュエータを操作するように配置されている。
【００２０】
ケース１１０の上面及び両側面には、鉤状部材２１０の湾曲にそって形成された凹部１１８及び１１９が形成されている。各凹部１１８及び１１９の底面には、発光素子であるＬＥＤ１５０が互いに間隔をおいて複数設けられている。凹部１１８及び１１９の深さは、ＬＥＤ１５０の頭部がケース１１０の外面から露出する深さに形成されている。これにより、ＬＥＤ１５０の視認性を確保するとともに、ＬＥＤ１５０が障害物にあたって壊れることから保護している。
【００２１】
スピーカ１４０は、例えば、圧電スピーカからなる。ケース１１０の箱部１１２にはスピーカ１４０から発せられる音を外部に放出するための音響孔（図示省略）が設けられている。
【００２２】
図８に安全帯用発報装置の回路図を示す。図８に示すように、制御回路１６０にはスイッチ１３０とスピーカ１４０とＬＥＤ１５０が接続されている。制御回路１６０は、図示省略のバッテリ及び電源スイッチを備えており、電源スイッチをオンにしてバッテリからの電力供給により動作する。制御回路１６０は、スイッチ１３０用の入力回路、スピーカ１４０の駆動回路、ＬＥＤ１５０用の駆動回路を含む。
【００２３】
制御回路１６０は、スイッチ１３０によりレバー１２０の回動を検知すると、スピーカ１４０及びＬＥＤ１５０を用いてフック２００が被掛止物１０に掛けられた旨を報知するよう所定の報知制御を行う。具体的には、例えば「安全です」なる音声データを所定の記憶部に予め記憶しておき、当該音声データを所定回数（例えば２回）スピーカ１４０から出力するよう制御する。また例えば、全てのＬＥＤ１５０を所定時間（例えば３秒間）、所定の間隔で点滅させる制御を行う。なお、音による報知（聴覚に訴える報知）と光による報知（視覚に訴える報知）は何れか一方だけ実施してもよいし、本実施の形態のように両方を実施するようにしてもよい。
【００２４】
このような安全帯用発報装置１００は、図４に示すように、フック２００の鉤状部材２１０の湾曲部に外側から被せ、ネジ１１１により固定することによりフック２００に装着される。作業者は、高所での作業前や移動時など安全帯の使用前に、安全帯用発報装置１００の電源がオンにし、安全帯用発報装置１００の引っ掛け片１１３を、安全帯の人体ベルト又は作業服のベルトなど、墜落防止のために用いるものとは異なる被掛止物に引っ掛けておく。ここで、安全帯の使用前では、安全帯用発報装置１００は作動しないので、誤った報知を防止することができる。
【００２５】
そして、作業員が安全帯を使用すべく親綱や足場の手すりなどにフック２００を引っ掛けると、安全帯用発報装置１００のレバー１２０が回動して、スピーカ１４０及びＬＥＤ１５０が報知動作を行う。これにより、作業員に対して、安全帯のフック２００が確実に使用されていることを認識させることができる。
【００２６】
このように、本実施の形態に係る安全帯用発報装置１００によれば、ケース１１０が、安全帯のフック２００の鉤状部材２１０の一部をその内側縁部が露出した状態で外側縁部から覆うように形成されているので、専用のフックを用意することなく、既存のフックに取り付けるだけで使用することができる。また、検知手段と報知手段と報知制御手段とが１つのケース１１０に設けられており、他の装置等を必要としない簡便な構成なので、製造コストを抑えることができるとともに、使用時の利便性も高いものとなる。
【００２７】
また、本実施の形態に係る安全帯用発報装置１００によれば、ケース１１０は、鉤状部材２１０をその厚み方向に挟んだ状態で両側から押圧する押圧部材であるネジ１１１により、鉤状部材２１０に固定可能となっているので、安全帯用発報装置１００のフック２００に対する着脱を確実且つ容易に行うことができる。
【００２８】
また、本実施の形態に係る安全帯用発報装置１００によれば、ケース１１０には、安全帯の人体ベルト又は作業服のベルトなどの、他の被掛止物に引っ掛けるための引っ掛け片１１３が形成されているので、安全帯の使用時以外に報知動作が行われることを防止できる。
【００２９】
また、本実施の形態に係る安全帯用発報装置１００によれば、ＬＥＤ１５０はケース１１０に形成された凹部１１８及び１１９の底面に、ＬＥＤ１５０の頭部がケース１１０の外面から露出するように配置されているので、ＬＥＤ１５０の視認性を確保できるととものに、ＬＥＤ１５０が障害物にあたって壊れることから保護することができる。
【００３０】
以上、本発明の一実施の形態について詳述したが、本発明はこれに限定されるものではない。例えば、上記実施の形態ではケース１１０に引っ掛け片１１３を形成したが、当該引っ掛け片１１３は省略してもよい。
【００３１】
また、上記実施の形態では、フック２００が被掛止物１０に掛けられたことを検知する手段としてレバー１２０及びスイッチ１３０を用いたが、光センサによりレバー１２０の回動を検出したり、感圧センサを用いたりするなど、他のセンサを用いてもよい。
【００３２】
また、上記実施の形態では、光による報知手段として、複数のＬＥＤ１５０をケース１１０の上面及び側面に設けたが、ＬＥＤ１５０の数や設置場所は不問である。また発光素子としてＬＥＤ以外のものを用いてもよい。
【００３３】
また、上記実施の形態では、ケース１１０を鉤状部材２１０に着脱自在に固定する手段として鉤状部材２１０を挟み込むように押圧するネジ１１１を用いたが、ケース１１０に引っ掛け片を形成して鉤状部材２１０を支持するなど、他の構造によりケース１１０と鉤状部材２１０に着脱自在に固定するようにしてもよい。
【符号の説明】
【００３４】
１０…被掛止物
１００…安全帯用発報装置
１１０…ケース
１１８，１１９…凹部
１２０…レバー
１３０…スイッチ
１４０…スピーカ
１５０…ＬＥＤ
１６０…制御回路
２００…フック
２１０…鉤状部材
２２０…外れ止め部材
２３０…ロック部材
【図１】
2020043964.tif 000003
【図２】
2020043964.tif 000004
【図３】
2020043964.tif 000005
【図４】
2020043964.tif 000006
【図５】
2020043964.tif 000007
【図６】
2020043964.tif 000008
【図７】
2020043964.tif 000009
【図８】
2020043964.tif 000010